(57)【要約】【課題】剥離紙上に貼られた多数のラベルを簡単にかつスピーディに剥せるラベル剥し器を提供することであり、軽量・低価格のラベル剥し器を提供すること。【解決手段】円筒面又は略円筒面の周囲にラベルを有する剥離紙を巻き付けてラベルを剥し取るラベル剥し器であり、前記円筒面又は略筒面の少なくとも表面層はスポンジなどのクッション性を有するクッション部材２により形成される様に構成する。【選択図】図１
2017226542.tif 000002
【特許請求の範囲】
【請求項１】
円筒面又は略円筒面の周囲にラベルを有する剥離紙を巻き付けてラベルを剥し取るラベル剥し器であり、前記円筒面又は略円筒面の少なくとも表面層はスポンジ、繊維生地、ブラシなどのクッション性を有するクッション部材により形成されている事を特徴とするラベル剥し器。
【発明の詳細な説明】
【技術分野】
【０００１】本発明は剥離紙上に貼られた多数のラベルを簡単に、かつスピーディに剥せる低コストのラベル剥し器に関するものである。
【背景技術】
【０００２】一般に剥離紙上に貼られた多数のラベルを剥す方法としては、１枚１枚のラベルを指を巧みに使って剥す方法があるが、ラベルは剥離紙にピタリと貼り付けられており、なかなか難かしくイライラが募り、熟練が必要である。他の方法として専用の機械装置によって剥す方法があるが、モーター駆動の為、高価であり、かつ重く、装置を働らかせる為の準備が面倒で、使わずに倉庫に眠っている事が多い。
【発明の開示】
【発明が解決しようとする課題】
【０００３】本発明の目的は、剥離紙上に貼られた多数のラベルを簡単にかつスピーディに剥せるラベル剥し器を提供することであり、軽量・低価格のラベル剥し器を提供する事である。
【課題を解決する為の手段】
【０００４】本発明は上記目的を達成する為、円筒面又は略円筒面の周囲にラベルを有する剥離紙を巻き付けてラベルを剥し取るラベル剥し器であり、前記円筒面又は略円筒面の少なくとも表面層はスポンジ、繊維生地、ブラシなどのクッション性を有するクッション部材により形成される様に構成した。
【発明の効果】
【０００５】本発明によれば円筒面又は略円筒面の少なくとも表面層はスポンジなどのクッション性を有するクッション部材により形成されており、剥離紙はこの面上に巻き付けられているので、親指と人差し指とを軽く剥離紙上に押し付けるとラベルの剥し初め端部直下の剥離紙の部分（この部分が最も薄い部分なので折れ易い）に折り目ができ（又はでき易い状態となる）、更に親指（人差し指の時もある）でラベル剥し初め端部近くを押圧するとこの部分が凹み、加えて人差し指（親指の時もある）をラベルの剥し初め端部へ向かって擦り動かすと、それに連られて剥離紙が寄って来る事によって前記ラベルの剥し初め端部が少し浮き上るので、これを人差し指（親指の時もある）で掬い取る様にすれば容易にラベルを剥し取る事ができる。かつ、スピーディに剥し取る事ができ、能率が上る。
加えて構造が極めて簡単であり、軽量・コンパクト・低価格である。
【発明を実施する為の形態】
【０００６】図１（イ）は本発明によるラベル剥し器を示し、芯体１（例えばプラスチック製）の周囲にスポンジ、繊維生地、ブラシ等のクッション性を有するクッション部材２が備えられ（接着などの手段により）、クッション部材２の表面は円筒面又は略円筒面（例えば断面が僅かに楕円形のもの、僅かに円錐形のものなどが含まれ、殆ど円筒面と見做せるもの）に形成されている。
芯体１は補強の為に用いられ、これを無くして全体をクッション部材２により形成しても良い。即ち、前記円筒面又は略円筒面の少なくとも表面層はスポンジなどのクッション部材２により形成されているのである。３、４は芯体１が露出した部分で、ここにはクッション部材２はなく後に述べる剥離紙を粘着・固定する為の両面テープが貼られている。５は４〜８角形状の転がり防止端面で、ラベル剥し器がコロコロ勝手に転がるのを防ぎ、姿勢を安定させる役割を負っている。８は柄で、これを握ってラベル剥し器を持ち上げたり、回したりする事ができる。両面テープ６、７が貼られているから、多数のラベルを有する剥離紙を図２（イ）の様にラベル剥し器の周囲に巻き付けて固定・保持する事ができる。
次に使い方を説明するが、ラベルは通常図３の様に剥離紙１２の上に多数貼られており、この場合、図３（イ）の様に各ラベルが切り目により切り離されている場合と、図３（ロ）の様に僅かな間隔を保って各ラベルが貼られているタイプとがあり、本発明では前者を用いて説明する。
又、ラベル剥し器は作業者の右又は左側に置く場合もあるが、一般には正面に置くので、これで説明する。先ず剥離紙１２を図１（イ）の様に両面テープ６、７が貼られているから、この粘着力により図２（イ）の様にラベル剥し器の周囲に巻き付けて固定・保持する（剥離紙の裏側に粘着させのであるから、良く粘着する）。この場合、剥離紙はピンと張らずに少しゆるく巻き付けるのが良い。そして右手利きの場合を例に採ると、図２（ロ）の様に切り目Ｌ２（１列目と２列目のラベル間の切り目）を跨いで親指と人差し指を置くと（拡大断面図である）、図２（ニ）の様にクッション部材２の表面が円筒面（略円筒面）状なので剥離紙１２はそれに沿って曲がろうとし、最も薄い部分（切り目Ｌ２がある部分）、即ちラベルの剥し初め端部１１直下の剥離紙の部分に折り目ができ（又はでき易い状態となる）、続いて置いた親指と人差し指を押圧するとその部分が凹み、これにより前記折り目ができ、ラベルの剥し初め端部１１が少し浮き上るか、それに近い状態となる。そして人差し指をラベルの剥し初め端部１１に向かって擦り動かすと、それに連られて剥離紙１２が寄って来てラベル剥し初め端部１１の直下の剥離紙の部分に安全に折り目ができ、ラベルの剥し初め端部１１が浮き上り、これを人差し指で掬い取る様にするとラベルを剥し取る事ができる。この場合、ラベル剥し器の表面がスポンジの様なクッション部材でなくプラスチックの様な硬い表面であると、ラベルを掬い取る事ができない。１列目のラベルを切り目Ｌ２から剥す理由は剥離紙１２の端部Ｌ１からでは剥せないからである。尚、図３（イ）において切り目Ｌ２に予め折り目を付けておくと図２（ロ）においてラベルを非常に剥し易くなる。
１列目のラベルを全て剥し終ったら２列目に移るが、図２（ハ）の様に切り目Ｌ２を跨いで親指と人差し指とを置き、今度は親指でラベルを剥し取ってゆく（この方がやり易い）。以上の場合、ラベル剥し器に適当な重量を与えておけばラベル剥し器を左手で動かない様に押える事なく右手だけで（片手で）ラベルを剥す事ができる。又、ラベルを剥す時にラベル剥し器が動かない様にするには、転がり防止端面５の外周に摩擦材を備えるか、それ自体を高摩擦材料で作るなどの手段が考えられる。
３列目のラベルを剥す時はラベル剥し器を転がして切り目Ｌ３を真上に来る様にしてラベルを剥す（２列目と同様に親指で剥すとやり易い）。
４列目のラベルのラベルを剥す時は同様にラベル剥し器を少し転がして親指で剥す様にすると良い。全てのラベルを剥し終ったら、剥離紙を引っ張れば両面テープ６、７（図１（イ）参照）から容易に引き離す事ができ、新しい剥離紙（ラベルを多数有する）をラベル剥し器に巻き付ける。尚、ラベルは柄８を手で握って保持しながら剥して、ベルトコンベア上を流れて来る梱包物に貼ってゆく事ができる。
図１（イ）ではクッション部材２の周囲に巻き付ける剥離紙を固定・保持する為に両面テープ６、７を使用したが、図１（ハ）の如く（断面を示す図である）クリップ９、９′を使用しても良い（これはクリップを挟むスペースを有する図３（ロ）の剥離紙に限る）。又、図１（イ）において両面テープ７の位置を図１（ロ）に示す如く他の位置に移しても良い。図１（ニ）はクッション部材２の周囲に巻き付ける剥離紙が大きい場合に有効なもので、突出部材１０を備えて巻いた端部にある剥離紙が互いに重なり合う事を防ぐ事により両面テープ７が剥離紙の裏に粘着するのを妨げない様にしたものである（突出部材１０がないと、巻いた端部にある剥離紙の部分が重なり合い、両面テープ７に粘着させにくくなる）。
【０００７】図４（イ）は図１（イ）に示すラベル剥し器を保持台１４により保持したものに相当し、ラベル剥し器は軸１３を中心に回転自在に備えられている。
使い方は既に説明した通りである。この場合、ラベルを剥す時は軸１３を中心にクッション部材２が回転しない様にする必要があるが、これには一方の手で押えて回転しない様にするか、又は軸１３を支持する軸受に高摩擦材料を使用する方法がある。但し後者の場合、次の列のラベルを剥す段階でラベル剥し器が軽く回らないと使いづらいので、この為には図４（ロ）の如く軸１３を少し持ち上げながら回す様にすれば良い。
こうすると軸１３が摩擦材１５から離れるので、軽く回す事ができる。
軸１３を持つ手を離せば軸１３が摩擦材１５に接触するので、回りにくくなってラベルを剥し易くなる。
即ち、軸１３を持って回す必要がある時だけ軽く回す事ができる構造である。
【図面の簡単な説明】
【０００８】
【図１】本発明によるラベル剥し器を示す図。
【図２】ラベル剥し器の使い方を示す図。
【図３】剥離紙を示す図。
【図４】本発明によるラベル剥し器を示す図である。
【符号の説明】１は芯体、２はクッション部材、３・４は芯体が露出した部分、５は転がり防止端面、６・７は両面テープ、８は柄、９・９′はクリップ、１０は突出部材、１１はラベルの剥し初め端部、１２は剥離紙、１３は軸、１４は保持台、１５は摩擦材、Ｌ１は剥離紙の端部、Ｌ２・Ｌ３・Ｌ４は切り目である。Ｌ５は剥離紙の端部である。
【図１】
2017226542.tif 000003
【図２】
2017226542.tif 000004
【図３】
2017226542.tif 000005
【図４】
2017226542.tif 000006